(57)【要約】【課題】ＯＣＲ処理する領域の指定を容易に行なうことを目的とする。【解決手段】各種アプリケーションで指定した領域情報を読み込むための各種読込プラグイン２８によって、各種アプリケーションでＯＣＲ処理する領域を指定した領域指定用ドキュメントを読み込んで、認識領域指定読込部３０によってＯＣＲ処理する領域を認識領域として抽出して、認識領域データ格納部２０によってインデックス情報と関連づけて認識領域データベース２２に格納する。そして、ＯＣＲ処理するイメージを取り込む際に、認識領域データ取得部２４によってインデックス情報に対応する認識領域を認識領域データベース２２から検索して取得し、ＯＣＲ認識モジュール２６によってＯＣＲ処理するイメージと、検索して取得した認識領域に基づいてＯＣＲ処理する。【選択図】図１
2007141159.tif 000002
【特許請求の範囲】
【請求項１】
所定の処理を行なうために予め指定された領域を表す領域情報を含む電子化された領域指定用文書データを、自装置内で処理可能な形式に変換して入力する入力手段と、
前記入力手段によって入力された前記領域指定用文書データから前記領域情報を抽出する抽出手段と、
所定の処理を行なうための原稿画像を読み取る読取手段と、
前記読取手段によって読み取られた原稿画像から前記抽出手段によって抽出された前記領域情報に対応する領域を抽出して所定の処理を行なう処理手段と、
を備えた画像処理装置。
【請求項２】
前記抽出手段によって抽出された前記領域情報を前記読取手段の読取先に関連するインデックス情報と関連づけて格納する格納手段と、
前記読取手段によって原稿画像を読み取る際に前記読取手段の読取先から前記インデックス情報を取得する取得手段と、
前記取得手段によって取得した前記インデックス情報に対応する前記領域情報を前記格納手段から検索する検索手段と、
を更に備え、
前記処理手段が前記読取手段によって読み取られた原稿画像から前記検索手段によって検索された前記領域情報に対応する領域を抽出して所定の処理を行なうことを特徴とする請求項１に記載の画像処理装置。
【請求項３】
前記領域指定用文書データは、予め定めた枠及び色の少なくとも一方によって指定された領域情報を含むことを特徴とする請求項１又は請求項２に記載の画像処理装置。
【請求項４】
前記領域指定用文書データは、所定のアプリケーションソフトウエアで指定された領域情報を含むことを特徴とする請求項１乃至請求項３の何れか１項に記載の画像処理装置。
【請求項５】
所定の処理を行なうために予め指定された領域を表す領域情報を含む電子化された領域指定用文書データを、自装置内で処理可能な形式に変換して入力する入力ステップと、
前記入力ステップで入力した前記領域指定用文書データから前記領域情報を抽出する抽出ステップと、
所定の処理を行なうための原稿画像を読み取る読取ステップと、
前記読取ステップで読み取った原稿画像から前記抽出ステップで抽出した前記領域情報に対応する領域を抽出して所定の処理を行なう処理ステップと、
を含む画像処理方法。
【請求項６】
前記抽出ステップで抽出した前記領域情報を前記読取ステップの読取先に関連するインデックス情報と関連づけて格納する格納ステップと、
前記読取ステップで原稿画像を読み取る際に前記読取ステップの読取先から前記インデックス情報を取得する取得ステップと、
前記取得ステップで取得した前記インデックス情報に対応する前記領域情報を前記格納ステップで格納した中から検索する検索ステップと、
を更に備え、
前記処理ステップが前記読取ステップで読み取った原稿画像から前記検索ステップで検索した前記領域情報に対応する領域を抽出して所定の処理を行なうことを特徴とする請求項５に記載の画像処理方法。
【請求項７】
前記領域指定用文書データは、予め定めた枠及び色の少なくとも一方によって指定された領域情報を含むことを特徴とする請求項５又は請求項６に記載の画像処理方法。
【請求項８】
前記領域指定用文書データは、所定のアプリケーションソフトウエアで指定された領域情報を含むことを特徴とする請求項５乃至請求項７の何れか１項に記載の画像処理方法。
【請求項９】
請求項５乃至請求項８の何れか１項に記載の画像処理方法をコンピュータに実行させることを特徴とする画像処理プログラム。
【発明の詳細な説明】
【技術分野】
【０００１】
本発明は、画像処理装置、画像処理方法、及び画像処理プログラムにかかり、特に、指定した領域をＯＣＲ（Optical Character Recognition）処理する画像処理装置、画像処理方法、及び画像処理プログラムに関する。
【背景技術】
【０００２】
文書画像などが記録された用紙に対して、領域を指定してＯＣＲ処理を行なう場合には、ＧＵＩ（Graphical User Interface）などを用いてマウス等で矩形領域を指定して指示する方法や、ＯＣＲ処理する領域を予め設定しておいて、テンプレートとして使用する方法などがある。
【０００３】
また、上述の領域指定に類似する技術としては、例えば、特許文献１や特許文献２に記載の技術が提案されている。
【０００４】
特許文献１に記載の技術では、撮影者の視線情報に基づいて文字領域を設定して、撮像手段の撮像によって得られる画像信号のうち該文字領域に相当する画像信号について、文字認識処理を行なうことにより、文字認識の高精度化及び高速化を図ることが提案されている。
【０００５】
また、特許文献２に記載の技術では、帳票作成の際に、認識対象文字枠の印刷精度を緩和して、電子複写等の簡易印刷で帳票を作成可能にすることが提案されており、電子複写等の場合、各帳票において帳票外辺から文字認識領域までのずれは大きいが、印刷相互間のずれ、すなわち印刷の相対的なずれは少ないので、帳票画像において、文字認識領域を上線と右線とから構成される基準印刷からの相対位置によって指定することにより、帳票のエッジや外辺から文字認識領域までの距離を正確に印刷する必要性をなくして、帳票の印刷精度を緩和する。従って、従来、印刷によって作成するしか方法がなかった文字認識装置用の帳票を、ワープロや電子複写等の簡易印刷によって作成することが可能となる。
【特許文献１】特開平７−２８２１９２号公報
【特許文献２】特開平５−１５９０９９号公報
【発明の開示】
【発明が解決しようとする課題】
【０００６】
しかしながら、特許文献１に記載の技術では、領域指定に視線情報を使用するが、視線を検出するための構成が高価であり、通常の文書の領域指定に利用するには、領域している精度に問題がある。
【０００７】
また、特許文献２に記載の技術では、予め外枠などを定めて相対的な位置で領域を指定するが、システムが認識できる基準となるマーク（外枠など）が必要となり、様々な文書の認識への適用が困難である、という問題がある。
【０００８】
本発明は、上記問題を解決すべく成されたもので、ＯＣＲ処理する領域の指定を容易に行なうことを目的とする。
【課題を解決するための手段】
【０００９】
上記目的を達成するために請求項１に記載の画像処理装置は、所定の処理を行なうために予め指定された領域を表す領域情報を含む電子化された領域指定用文書データを、自装置内で処理可能な形式に変換して入力する入力手段と、前記入力手段によって入力された前記領域指定用文書データから前記領域情報を抽出する抽出手段と、所定の処理を行なうための原稿画像を読み取る読取手段と、前記読取手段によって読み取られた原稿画像から前記抽出手段によって抽出された前記領域情報に対応する領域を抽出して所定の処理を行なう処理手段と、を備えることを特徴としている。
【００１０】
請求項１に記載の発明によれば、入力手段では、所定の処理を行なうために予め指定された領域を表す領域情報を含む電子化された領域指定用文書データが、自装置内で処理可能な形式に変換して入力され、抽出手段では、入力手段によって入力された領域指定用文書データから領域情報が抽出される。
【００１１】
例えば、各種アプリケーションソフトウエアを用いて所定の処理を行なうための領域が指定された領域指定用文書データを入力手段によって画像処理装置に入力することができ、抽出手段によってこの領域情報を抽出することができる。
【００１２】
そして、読取手段では、所定の処理を行なうための原稿画像が読み取られ、処理手段では、読取手段によって読み取られた原稿画像から抽出手段によって抽出された領域情報に対応する領域が抽出されて所定の処理（例えば、ＯＣＲ処理）が行なわれる。
【００１３】
すなわち、ユーザが使い慣れているアプリケーションソフトウエア等によって所定の処理を行なう領域を指定して、所定の処理を行なう際に、指定した領域に対して所定の処理を自動的に行なうことができるので、ＯＣＲ処理などの所定の処理を行なう領域の指定を容易に行なうことができる。
【００１４】
なお、請求項２に記載の発明のように、抽出手段によって抽出された領域情報を読取手段の読取先に関連するインデックス情報と関連づけて格納する格納手段と、読取手段によって原稿画像を読み取る際に読取手段の読取先からインデックス情報を取得する取得手段と、取得手段によって取得したインデックス情報に対応する領域情報を格納手段から検索する検索手段と、を更に備え、処理手段が読取手段によって読み取られた原稿画像から検索手段によって検索された領域情報に対応する領域を抽出して所定の処理を行なうようにしてもよい。
【００１５】
また、領域指定用文書データは、請求項３に記載の発明のように、予め定めた枠及び色（例えば、カラーマーカーなど）の少なくとも一方によって指定された領域情報を含むようにしてもよいし、請求項４に記載の発明のように、所定のアプリケーションソフトウエアで指定された領域情報を含むようにしてもよい。
【００１６】
請求項５に記載の画像処理方法は、所定の処理を行なうために予め指定された領域を表す領域情報を含む電子化された領域指定用文書データを、自装置内で処理可能な形式に変換して入力する入力ステップと、前記入力ステップで入力した前記領域指定用文書データから前記領域情報を抽出する抽出ステップと、所定の処理を行なうための原稿画像を読み取る読取ステップと、前記読取ステップで読み取った原稿画像から前記抽出ステップで抽出した前記領域情報に対応する領域を抽出して所定の処理を行なう処理ステップと、を含むことを特徴としている。
【００１７】
請求項５に記載の発明によれば、入力ステップでは、所定の処理を行なうために予め指定された領域を表す領域情報を含む電子化された領域指定用文書データを、自装置内で処理可能な形式に変換して入力し、抽出手段では、入力ステップで入力した領域指定用文書データから領域情報を抽出する。
【００１８】
例えば、各種アプリケーションソフトウエアを用いて所定の処理を行なうための領域が指定された領域指定用文書データを入力ステップによって入力することができ、抽出ステップによってこの領域情報を抽出することができる。
【００１９】
そして、読取ステップでは、所定の処理を行なうための原稿画像を読み取って、処理ステップでは、読取ステップで読み取った原稿画像から抽出ステップで抽出した領域情報に対応する領域を抽出して所定の処理（例えば、ＯＣＲ処理）を行う。
【００２０】
すなわち、ユーザが使い慣れているアプリケーションソフトウエア等によって所定の処理を行なう領域を指定して、所定の処理を行なう際に、指定した領域に対して所定の処理を自動的に行なうことができるので、ＯＣＲ処理などの所定の処理を行なう領域の指定を容易に行なうことができる。
【００２１】
なお、請求項６に記載の発明のように、抽出ステップで抽出した領域情報を読取ステップの読取先に関連するインデックス情報と関連づけて格納する格納ステップと、読取ステップで原稿画像を読み取る際に読取ステップの読取先からインデックス情報を取得する取得ステップと、取得ステップで取得したインデックス情報に対応する領域情報を格納ステップで格納した中から検索する検索ステップと、を更に備え、処理ステップが読取ステップで読み取った原稿画像から検索ステップで検索した領域情報に対応する領域を抽出して所定の処理を行なうようにしてもよい。
【００２２】
また、領域指定用文書データは、請求項７に記載の発明のように、予め定めた枠及び色の少なくとも一方によって指定された領域情報を含むようにしてもよいし、請求項８に記載の発明のように、所定のアプリケーションソフトウエアで指定された領域情報を含むようにしてもよい。
【００２３】
なお、請求項５乃至請求項８の何れか１項に記載の画像処理方法は、請求項９に記載の発明のように、コンピュータに実行させる画像処理プログラムとしてもよい。
【発明の効果】
【００２４】
以上説明したように本発明によれば、ＯＣＲ処理する領域の指定を容易に行なうことができる、という効果がある。
【発明を実施するための最良の形態】
【００２５】
以下、図面を参照して本発明の実施の形態の一例を詳細に説明する。図１は、本発明の実施の形態に係わる画像処理装置の構成を示す図である。
【００２６】
図１に示すように、本発明の実施の形態に係わる画像処理装置１０は、イメージ読込部１２、領域指定読込モジュール１４、領域指定方法設定ＵＩ（User Interface）１６、ＯＣＲ  ＵＩ１８、認識領域データ格納部２０、認識領域データベース２２、認識領域データ取得部２４、及びＯＣＲ認識モジュール２６、を備えている。
【００２７】
イメージ読込部１２は、ＯＣＲ処理する紙文書（例えば帳票などの定型文書など）をスキャナやファックス等を用いて電子化して生成したイメージデータを読み込む。
【００２８】
領域指定読込モジュール１４は、紙文書などを電子化した領域指定用ドキュメントや、各種アプリケーションソフトウエアで作成した領域指定用ドキュメントを取得する。また、領域指定用ドキュメントは、各種アプリケーションソフトウエアを用いて指定したＯＣＲ処理する対象となる領域情報（例えば、アプリケーションソフトウエアで使用可能な枠、色、カラーマーカ等で領域指定した情報）を含み、領域指定読込モジュール１４は、領域指定用ドキュメントから各種アプリケーションソフトウエアで指定したＯＣＲ処理する対象となる領域を抽出する。なお、領域指定読込モジュール１４は、手書き等（例えば、枠やカラーマーカーなど）で指定されたＯＣＲ処理する対象となる領域が指定された紙文書などを電子化した領域指定用ドキュメントを取得して、ＯＣＲ処理する対象となる領域を抽出するようにしてもよい。
【００２９】
領域指定読込モジュール１４は、各種読込プラグイン２８及び認識領域指定読込部３０で構成されている。
【００３０】
各種読込プラグイン２８は、各種アプリケーションソフトウエア等で使用する形式のデータを画像処理装置１０で処理可能な形式に変換して画像処理装置１０内に入力する。例えば、ＯＣＲ処理する対象となる領域を手書き等で指定（例えば、矩形枠やカラーマーカーなどで手書きしてＯＣＲ対象領域を指定）した紙文書を電子化したイメージデータ（領域指定用ドキュメント）として読み込んだり、紙文書を電子化してＯＣＲ処理する対象となる領域を各種イメージエディタ等で指定したイメージデータ（領域指定用ドキュメント）を読み込んだりするイメージ読込プラグインモジュール、マイクロソフト社製ソフトウエアのパワーポインタ（ＰＰＴ）でＯＣＲ処理する対象となる領域を指定したＰＰＴ文書を読み込むプラグインモジュール、マイクロソフト社製ソフトウエアのワード（Ｗｏｒｄ）でＯＣＲ処理する対象となる領域を指定したＷｏｒｄ文書を読み込むプラグインモジュール、富士ゼロックス社製ソフトウエアのドキュワークス（ＸＤＷ）でＯＣＲ処理する対象となる領域を指定したＸＤＷ文書を読み込むプラグインモジュールなどを含んで構成されている。なお、各種プラグイン２８は、上述のプラグインモジュールに限るものではなく、その他のプラグインモジュールを適用するようにしてもよい。
【００３１】
認識領域指定読込部３０は、各種プラグイン２８から領域指定方法設定ＵＩ１６で指定された設定に従って領域指定用の文書を読み込んでＯＣＲ処理する対象となる領域を抽出する。
【００３２】
領域指定方法設定ＵＩ１６は、各種読込プラグイン２８から領域を読み込むときの処理方法を設定する。設定する処理方法としては、例えば、矩形枠、塗り潰し領域、色指定、自動などの設定を有し、各設定に応じてＯＣＲ処理対象となる領域を抽出するための処理方法を指定する。なお、読み込む文書タイプの設定などを行なうようにしてもよい。
【００３３】
ＯＣＲ  ＵＩ１８は、認識領域指定読込部３０によって抽出されたＯＣＲ処理する対象となる領域に対するインデックス情報（例えば、あるデバイスから取得したイメージデータについて適用するルール等）を入力すると共に、領域指定方法設定ＵＩ１６で設定する処理方法の選択を行なうための入力等を行なう。
【００３４】
認識領域データ格納部２０は、ＯＣＲ  ＵＩ１８によって入力されたインデックス情報と認識領域指定読込部３０によって抽出されたＯＣＲ処理する対象となる領域（認識領域）を表す領域情報とを関連づけして認識領域データベース２２に格納する。なお、認識領域データベース２２に格納する認識領域は領域情報ではなく、認識領域データそのものをインデックス情報と関連付けて認識領域データベース２２に格納するようにしてもよい。
【００３５】
認識領域データベース２２は、例えば、ＡｐｅｏｓＷａｒｅＦｌｏｗＳｅｒｖｉｃｅ（富士ゼロックス社製ソフトウエア）を適用することもでき、この場合には、該ソフトウエアが管理するルール情報にこの領域データを格納して管理することが可能である。
【００３６】
認識領域データ取得部２４は、外部のＵＩやシステムから入力される領域選択情報（例えば、ＯＣＲするイメージを読み取るデバイス情報）等からインデックスデータを生成して、認識領域データベース２２に格納されたデータからインデックスデータに対応する領域情報を選択して取得する。
【００３７】
ＯＣＲ認識モジュール２６は、ＯＣＲ処理する紙文書（例えば帳票などの定型文書など）が電子化されたイメージデータをイメージ読込部１２から取得すると共に、認識領域データ取得部２４が取得した領域情報を取得して、イメージ読込部１２から取得したイメージデータから領域情報に対応する領域に対してＯＣＲ処理を実行する。
【００３８】
続いて、上述のように構成された本発明の実施の形態に係わる画像処理装置１０で行なわれる処理について説明する。
【００３９】
まず、上述のように構成された画像処理装置１０に対してＯＣＲ処理する対象を登録する際の領域指定処理について説明する。なお、以下では、画像処理装置１０とは別のコンピュータ等にインストールされた各種アプリケーションソフトウエアを用いてＯＣＲ処理する領域を指定する場合について説明する。
【００４０】
図２は、本発明の実施の形態に係わる画像処理装置１０に対して外部のコンピュータ等からＯＣＲする領域を設定する領域指定処理の流れの一例を示すフローチャートである。
【００４１】
まず、ステップ１００では、ＯＣＲ処理する紙文書から電子化したイメージデータを生成してステップ１０２へ移行する。すなわち、スキャナ等によってＯＣＲ処理する紙文書を読み込んで電子化してイメージデータを生成する。
【００４２】
ステップ１０２では、生成したイメージデータを各種アプリケーションソフトウエア（例えば、上述したＰＰＴ、Ｗｏｒｄ、ＸＤＷ等）に取り込んでステップ１０４へ移行する。
【００４３】
ステップ１０４では、各種アプリケーションソフトウエアを用いてイメージデータに対してＯＣＲ処理する領域の指定が終了したか否かを判定する。該判定は、各種アプリケーションソフトウエアでＯＣＲする領域の指定が終了して画像処理装置１０へ指定した領域の登録が指示されたか否か等を判定し、該判定が否定された場合には肯定されるまで待機してステップ１０６へ移行する。すなわち、各種アプリケーションソフトウエアでＯＣＲ処理する領域を指定するので、ユーザが使い慣れたアプリケーションソフトウエアを使用した領域指定が可能となる。なお、アプリケーションソフトウエアでの領域指定は、例えば、各種アプリケーションソフトウエアで使用可能な枠、色、カラーマーカ等を用いて領域を指定することができる。
【００４４】
ステップ１０６では、各種アプリケーションソフトウエアで領域指定されたイメージデータ（領域指定用ドキュメント）を画像処理装置１０に出力して一連の処理を終了する。
【００４５】
なお、上述のように外部のコンピュータにインストールされた各種アプリケーションソフトウエアを使用してＯＣＲ処理する領域を指定する他に、矩形やカラーマーカ等で手書き指定した紙文書を電子化して領域指定用ドキュメントを生成するようにしてもよい。
【００４６】
図３は、本発明の実施の形態に係わる画像処理装置１０で行なわれるＯＣＲ処理する領域を登録する領域登録処理の流れの一例を示すフローチャートである。
【００４７】
ステップ２００では、上述のようにして各種アプリケーションソフトウエアでＯＣＲ処理する領域が指定された領域指定用ドキュメントを入力してステップ２０２へ移行する。例えば、領域指定方法設定ＵＩ１６で指定された設定に従って認識領域指定読込部３０が各種読込プラグイン２８を介してコンピュータ等から出力された領域指定用ドキュメントを画像処理装置１０内に取り込む。この時、領域指定方法設定ＵＩ１６で文書タイプが指定されていない場合には、指定された文書の拡張子などから文書タイプを判断して、各種読込プラグイン２８を介して読み込む。
【００４８】
ステップ２０２では、領域指定方法設定ＵＩ１６による設定に応じて領域を抽出してステップ２０４へ移行する。すなわち、領域指定処理で指定された領域を抽出するように、領域指定方法設定ＵＩ１６で設定することで、領域指定用ドキュメントから領域指定処理で指定された領域（以下、領域指定処理で指定された領域を認識領域という）を認識領域指定読込部３０が抽出する。
【００４９】
ステップ２０４では、抽出された認識領域を特定するためのインデックスデータを取得してステップ２０６へ移行する。インデックスデータの取得は、認識領域データ格納部２０がＯＣＲ  ＵＩ１８から取得する。例えば、ユーザがＯＣＲ  ＵＩ１８を用いて所定のデバイスからＯＣＲするイメージがイメージ読込部１２によって読み込まれた場合に、所定の認識領域を選択するルールをインデックスデータとして作成し、これを認識領域データ格納部２０が取得する。
【００５０】
次にステップ２０６では、抽出された認識領域をインデックスデータと関連付けして認識領域データベース２２に格納して一連の領域登録処理を終了する。これによって、所定のデバイスからＯＣＲするイメージがイメージ読込部１２によって読み込まれた場合に、対応するインデックスデータを検索することで、自動的に対応する認識領域を選択することが可能となる。
【００５１】
続いて、本発明の実施の形態に係わる画像処理装置１０でＯＣＲ処理する場合の処理について説明する。図４は、本発明の実施の形態に係わる画像処理装置１０で行なわれるＯＣＲ処理の流れの一例を示すフローチャートである。
【００５２】
ステップ３００では、ＯＣＲイメージを取得してステップ３０２へ移行する。すなわち、ＯＣＲ処理する紙文書（例えば帳票などの定型文書など）をスキャナやファックス等を読み込んで生成した電子化したイメージデータをイメージ読込部１２を介してＯＣＲ認識モジュール２６が取得する。
【００５３】
ステップ３０２では、ＯＣＲイメージの取得先のデバイス情報に基づいて認識領域を取得してステップ３０４へ移行する。すなわち、デバイス情報に対応するインデックス情報が関連づけされた認識領域を認識領域データ取得部２４が認識領域データベース２２から検索して取得する。
【００５４】
ステップ３０４では、ＯＣＲ認識モジュール２６が取得したＯＣＲイメージを表すイメージデータと、認識領域データ取得部２４が取得した認識領域を基にＯＣＲ処理を実行して一連のＯＣＲ処理を終了する。すなわち、ＯＣＲイメージから認識領域に対応する部分を抽出し、該抽出部分に対して所定のＯＣＲ処理を実行する。
【００５５】
このように、本実施の形態では、ＯＣＲ処理を行なう領域を指定する際には、普段ユーザが使い慣れているアプリケーションソフトウエア（例えば、Ｗｏｒｄ、ＰＰＴ、ＸＤＷ、イメージ編集ソフトウエア等のエディタ）を用いて領域を指定することでＯＣＲ領域を簡単に指定して、ＯＣＲ処理を行なう際に、指定した領域に対してＯＣＲ処理を自動的に行なうことができるので、ＯＣＲ処理する領域の指定を容易に行なうことができる。
【００５６】
例えば、イメージ上で領域を矩形枠で指定できるので、通常ファックスやスキャナなどによって読み込みが想定できるドキュメントを読み込んで認識領域をそのイメージ上に記載すればよく、認識すべき領域を明確に指定することができる。
【００５７】
また、領域指定にマーカなどの色指定も可能であるので、表などの矩形枠が多数あるドキュメントでもどの領域を指定したか否かを容易に判断することができる。
【００５８】
また、領域指定に利用した文書には、文書には、編集を一切加えないようにすることができるので、領域指定のためのドキュメントをユーザ独自の管理方法で管理することができ、領域指定に利用した文書の再利用も可能となる。また、定型処理の変更などで、指定領域を変更する時にも、この領域指定に利用した文書を再利用することができるので、領域の再指定が容易となる。
【００５９】
さらに、認識領域データベース格納部２０に可能されるデータは、各種アプリケーションソフトウエアで指定された認識領域であるため、画像処理装置１０や該画像処理装置１０内のソフトウエア等が変更されても流用することができる。
【００６０】
なお、上記の実施の形態において、ＯＣＲするイメージは、ＡｐｅｏｓＷａｒｅＦｌｏｗＳｅｒｖｉｃｅから読み込むことようにしてもよい。また、認識領域データ格納部２０は、認識領域をＡｐｅｏｓＷａｒｅＦｌｏｗＳｅｒｖｉｃｅに格納するようにしてもよい。そして、ＯＣＲ処理を行なう際には、認識領域データ取得部２４がＡｐｅｏｓＷａｒｅＦｌｏｗＳｅｒｖｉｃｅから得られる領域選択情報に基づいて認識領域を取得するようにしてもよい。
【００６１】
また、上記の実施の形態における、イメージ読込部１２、領域指定読込モジュール１４、領域指定方法設定ＵＩ１６、認識データ格納部２０、認識領域データ取得部２４、及びＯＣＲ認識モジュール２６は、ハードウエア構成としてもよいし、ソフトウエア構成としてもよい。すなわち、画像処理装置１０で行なわれる上述の領域登録処理及びＯＣＲ処理はハードウエアで行なわれる処理としてもよいし、ソフトウエアで行なわれる処理としてもよい。
【図面の簡単な説明】
【００６２】
【図１】本発明の実施の形態に係わる画像処理装置の構成を示す図である。
【図２】本発明の実施の形態に係わる画像処理装置に対して外部のコンピュータ等からＯＣＲする領域を設定する領域指定処理の流れの一例を示すフローチャートである。
【図３】本発明の実施の形態に係わる画像処理装置で行なわれるＯＣＲ処理する領域を登録する領域登録処理の流れの一例を示すフローチャートである。
【図４】本発明の実施の形態に係わる画像処理装置で行なわれるＯＣＲ処理の流れの一例を示すフローチャートである。
【符号の説明】
【００６３】
１０    画像処理装置
１２    イメージ読込部
１４    領域指定読込モジュール
１６    領域指定方法設定ＵＩ
２０    認識領域データ格納部
２２    認識領域データベース
２４    認識領域データ取得部
２６    ＯＣＲ認識モジュール
２８    各種読込プラグイン
３０    認識領域指定読込部
【図１】
2007141159.tif 000003
【図２】
2007141159.tif 000004
【図３】
2007141159.tif 000005
【図４】
2007141159.tif 000006